(57)【要約】【課題】登録装置と精算装置とを備えるＰＯＳシステムにおいて、精算装置を有効活用することができる。【解決手段】ＰＯＳシステムは、店員によって顧客が買い上げる買上商品の登録をする登録装置と精算装置とを備える。精算装置は、登録装置において登録された商品を顧客が精算するセミセルフモードと、顧客が買上商品を登録して精算するフルセルフモードとの２つの動作モードを有し、動作モードをセミセルフモードとフルセルフモードとのいずれかに切り替え可能なモード変更手段を備える。【選択図】図１
2018109932.tif 000002
【特許請求の範囲】
【請求項１】
店員によって顧客が買い上げる買上商品の登録をする登録装置と精算装置とを備えるＰＯＳシステムであって、
前記精算装置は、
前記登録装置において登録された商品を顧客が精算するセミセルフモードと、顧客が買上商品を登録して精算するフルセルフモードとの２つの動作モードを有する
ことを特徴とするＰＯＳシステム。
【請求項２】
前記精算装置は、動作モードを前記セミセルフモードと前記フルセルフモードとのいずれかに切り替え可能なモード変更手段
を備えることを特徴とする請求項１に記載のＰＯＳシステム。
【請求項３】
前記精算装置は、
コード情報を読み取る読取部をさらに備え、
前記モード変更手段は、前記読取部が商品に付されたコード情報を読み取った場合に、動作モードをフルセルフモードに切り替える
ことを特徴とする請求項２に記載のＰＯＳシステム。
【請求項４】
前記登録装置は、前記精算装置の動作モードを切り替える操作を受け付けるキーを備え、
前記モード変更手段は、前記キーの操作に基づいて、動作モードを前記セミセルフモードと前記フルセルフモードとのいずれかに切り替える
ことを特徴とする請求項２または３に記載のＰＯＳシステム。
【請求項５】
前記モード変更手段は、前記精算装置に対応する前記登録装置が非稼働である場合に、動作モードをフルセルフモードに切り替える
ことを特徴とする請求項２から４のいずれか１項に記載のＰＯＳシステム。
【請求項６】
前記モード変更手段は、フルセルフモードで動作している場合であっても、セミセルフモードで用いる情報を読みとるとセミセルフモードとして動作する
ことを特徴とする請求項２から５のいずれか１項に記載のＰＯＳシステム。
【請求項７】
前記精算装置は、
店員側と、店員と対面する顧客側に表示部を設け、
顧客側に現金決済可能な決済部を向けた対面型の装置として動作する
ことを特徴とする請求項１から６のいずれか１項に記載のＰＯＳシステム。
【請求項８】
店員によって顧客が買い上げる買上商品の登録をする登録装置と精算装置とを備えるＰＯＳシステムに含まれる精算装置であって、
前記登録装置において登録された商品を顧客が精算するセミセルフモードと、顧客が買上商品を登録して精算するフルセルフモードとの２つの動作モードを有する
ことを特徴とする精算装置。
【請求項９】
店員によって顧客が買い上げる買上商品の登録をする登録装置と、前記登録装置において登録された商品を顧客が精算するセミセルフモードと、顧客が買上商品を登録して精算するフルセルフモードとの２つの動作モードを有する精算装置とを備えるＰＯＳシステムに含まれる登録装置であって、
前記精算装置の動作モードを切り替える操作を受け付けるキーを備える
ことを特徴とする登録装置。
【請求項１０】
店員によって顧客が買い上げる買上商品の登録をする登録装置と精算装置とを備えるＰＯＳシステムに含まれる精算装置としてのコンピュータに、
前記登録装置において登録された商品を顧客が精算するセミセルフモードと、顧客が買上商品を登録して精算するフルセルフモードとの２つの動作モードで動作させるステップ
を実行させるためのプログラム。
【請求項１１】
店員によって顧客が買い上げる買上商品の登録をする登録装置と、前記登録装置において登録された商品を顧客が精算するセミセルフモードと、顧客が買上商品を登録して精算するフルセルフモードとの２つの動作モードを有する精算装置とを備えるＰＯＳシステムに含まれる登録装置としてのコンピュータに、
前記精算装置の動作モードを切り替える操作を受け付けるステップ
を実行させるためのプログラム。
【発明の詳細な説明】
【技術分野】
【０００１】
本発明は、ＰＯＳシステム、精算装置、登録装置及びプログラムに関する。
【背景技術】
【０００２】
商品の登録が行われる登録装置と、登録装置により登録された商品について精算を行う精算装置とが分離して構成されるＰＯＳシステムが知られている（例えば、特許文献１参照）。このようなＰＯＳシステムでは、店員が登録装置により顧客の買上商品の登録を行い、顧客が自分の買上商品についての精算を精算装置にて行うことができる。これにより、例えば、商品代金の受領業務が無人化されることによる省力化や、買上商品の登録から精算終了までの時間の短縮が図られる。
【先行技術文献】
【特許文献】
【０００３】
【特許文献１】特許第５８０３１２１号公報
【発明の概要】
【発明が解決しようとする課題】
【０００４】
しかしながら、特許文献１に記載の技術では、登録装置を操作する店員がいない場合には、対応する精算装置は利用されない。そのため、精算装置を利用できない時間帯ができることがあり、精算装置を常に有効活用できているわけではない。
【０００５】
本発明は、このような事情に鑑みてなされたもので、登録装置と精算装置とを備えるＰＯＳシステムにおいて、精算装置を有効活用することができるＰＯＳシステム、精算装置、登録装置及びプログラムを提供することを目的とする。
【課題を解決するための手段】
【０００６】
上述した課題を解決する本発明の一態様は、店員によって顧客が買い上げる買上商品の登録をする登録装置と精算装置とを備えるＰＯＳシステムであって、前記精算装置は、前記登録装置において登録された商品を顧客が精算するセミセルフモードと、顧客が買上商品を登録して精算するフルセルフモードとの２つの動作モードを有することを特徴とするＰＯＳシステムである。
【０００７】
また、本発明の一態様は、上記のＰＯＳシステムにおいて、前記精算装置は、動作モードを前記セミセルフモードと前記フルセルフモードとのいずれかに切り替え可能なモード変更手段を備えることを特徴とする。
【０００８】
また、本発明の一態様は、上記のＰＯＳシステムにおいて、前記精算装置は、コード情報を読み取る読取部をさらに備え、前記モード変更手段は、前記読取部が商品に付されたコード情報を読み取った場合に、動作モードをフルセルフモードに切り替えることを特徴とする。
【０００９】
また、本発明の一態様は、上記のＰＯＳシステムにおいて、前記登録装置は、前記精算装置の動作モードを切り替える操作を受け付けるキーを備え、前記モード変更手段は、前記キーの操作に基づいて、動作モードを前記セミセルフモードと前記フルセルフモードとのいずれかに切り替えることを特徴とする。
【００１０】
また、本発明の一態様は、上記のＰＯＳシステムにおいて、前記モード変更手段は、前記精算装置に対応する前記登録装置が非稼働である場合に、動作モードをフルセルフモードに切り替えることを特徴とする。
【００１１】
また、本発明の一態様は、上記のＰＯＳシステムにおいて、前記モード変更手段は、フルセルフモードで動作している場合であっても、セミセルフモードで用いる情報を読みとるとセミセルフモードとして動作することを特徴とする。
【００１２】
また、本発明の一態様は、上記のＰＯＳシステムにおいて、前記精算装置は、店員側と、店員と対面する顧客側に表示部を設け、顧客側に現金決済可能な決済部を向けた対面型の装置として動作することを特徴とする。
【００１３】
また、本発明の一態様は、店員によって顧客が買い上げる買上商品の登録をする登録装置と精算装置とを備えるＰＯＳシステムに含まれる精算装置であって、前記登録装置において登録された商品を顧客が精算するセミセルフモードと、顧客が買上商品を登録して精算するフルセルフモードとの２つの動作モードを有することを特徴とする精算装置である。
【００１４】
また、本発明の一態様は、店員によって顧客が買い上げる買上商品の登録をする登録装置と、前記登録装置において登録された商品を顧客が精算するセミセルフモードと、顧客が買上商品を登録して精算するフルセルフモードとの２つの動作モードを有する精算装置とを備えるＰＯＳシステムに含まれる登録装置であって、前記精算装置の動作モードを切り替える操作を受け付けるキーを備えることを特徴とする登録装置である。
【００１５】
また、本発明の一態様は、店員によって顧客が買い上げる買上商品の登録をする登録装置と精算装置とを備えるＰＯＳシステムに含まれる精算装置としてのコンピュータに、前記登録装置において登録された商品を顧客が精算するセミセルフモードと、顧客が買上商品を登録して精算するフルセルフモードとの２つの動作モードで動作させるステップを実行させるためのプログラムである。
【００１６】
また、本発明の一態様は、店員によって顧客が買い上げる買上商品の登録をする登録装置と、前記登録装置において登録された商品を顧客が精算するセミセルフモードと、顧客が買上商品を登録して精算するフルセルフモードとの２つの動作モードを有する精算装置とを備えるＰＯＳシステムに含まれる登録装置としてのコンピュータに、前記精算装置の動作モードを切り替える操作を受け付けるステップを実行させるためのプログラムである。
【発明の効果】
【００１７】
本発明によれば、登録装置と精算装置とを備えるＰＯＳシステムにおいて、精算装置を有効活用することができる。
【図面の簡単な説明】
【００１８】
【図１】本発明の実施形態におけるＰＯＳシステムの構成例を示す図である。
【図２】本発明の実施形態における登録装置の構成例を示す図である。
【図３】本発明の実施形態における精算装置の構成例を示す図である。
【図４】本発明の実施形態における登録装置と精算装置の外観例を示す図である。
【図５】本発明の実施形態における精算装置の外観例を示す図である。
【図６】本発明の実施形態における精算装置に表示される画面の一例である。
【図７】本発明の実施形態における精算装置に表示される画面の一例である。
【図８】本発明の実施形態における精算装置の処理遷移例について説明するフローチャートである。
【図９】本発明の実施形態における精算装置の処理遷移例について説明するフローチャートである。
【図１０】動作モード切り替えボタンを表示した場合の登録画面の一例を示した図である。
【図１１】セミセルフモードで動作しているときの精算装置が表示する、支払い方法を選択させる画面の例を示した図である。
【図１２】セミセルフモードで動作しているときの精算装置が表示する、預かり金額等を表示する画面を示した図である。
【図１３】前面側と背面側に表示部および操作部をそれぞれ設けた精算装置の外観例を示した図である。
【発明を実施するための形態】
【００１９】
以下、本発明の実施形態について図面を参照して説明する。図１は、本実施形態に係るＰＯＳ（Ｐｏｉｎｔ  Ｏｆ  Ｓａｌｅｓ）システムの構成例を示している。同図に示すＰＯＳシステムは、ストアコントローラ１０と、登録装置２０と、３台の精算装置３０とを含んで構成されている。ストアコントローラ１０と、登録装置２０と、３台の精算装置３０とは、有線または無線接続のＬＡＮ（Ｌｏｃａｌ  Ａｒｅａ  Ｎｅｔｗｏｒｋ）１１で相互に通信が可能なように接続されている。
【００２０】
なお、同図に示したＰＯＳシステムの構成は一例である。例えば、ＰＯＳシステムの構成として、２台以上の登録装置２０を含む構成としてもよいし、２台以下または４台以上の精算装置３０を含む構成としてもよい。また、ＰＯＳシステムの構成として、ストアコントローラ１０を含まない構成としてもよい。なお、ＰＯＳシステムの構成として、ストアコントローラ１０を含まない構成とする場合には、他の装置（例えば、登録装置２０、２以上の登録装置２０がある場合には代表する１台の登録装置２０）に、ストアコントローラ１０としての機能を兼用させてもよい。
【００２１】
ストアコントローラ１０は、ＰＯＳシステムを制御するコンピュータであり、商品マスタなどの種々の情報を管理する。ストアコントローラ１０は、登録装置２０及び各精算装置３０に、最新の商品マスタを適宜送信する。商品マスタとは、各商品の商品識別情報（例えば、ＪＡＮコード）、商品名（品名、アイテム名）、販売価格、値引き情報などの商品情報を格納したファイルである。ストアコントローラ１０は、最新の商品情報が反映された商品マスタを、外部（例えば、本部のサーバ、ＣＤ−ＲＯＭ等の媒体）から取得し、登録装置２０及び各精算装置３０に適宜送信する。
【００２２】
登録装置２０は、購入対象の商品を登録する登録処理を実行する。商品の登録は、例えば、スキャナを用いて、商品に付されているバーコードを読み取るか、商品登録画面に表示されたプリセットボタン等を操作することにより行われる。また、登録装置２０は、登録された商品に関する情報（以下、登録データという）を生成し、記憶する。
【００２３】
登録データは、当該登録データを識別するための登録データ識別情報、登録日時、登録された各商品の商品識別情報、登録された各商品の商品名、販売価格、値引き情報、購入対象の商品の品数を示す取引点数（購入点数）、購入対象の商品の総額（合計金額）を含む。また、登録データは、当該登録データを生成した登録装置２０（すなわち、当該登録データに係る商品を登録した登録装置２０）を識別するための登録装置識別情報を更に含むものであってもよい。
【００２４】
登録データは、精算装置３０において精算処理に用いられる。精算処理とは、登録された商品の代金を、現金、電子マネー（プリペイドカードのチャージ残高を含む）、クレジットカードなどを選択的に用いて支払い、決済する処理である。
【００２５】
なお、本実施の形態では、複数の精算装置３０が存在するが、複数のうちのいずれか１台が、登録装置２０において生成された登録データを用いて精算処理を実行する。複数の精算装置３０のうちから、精算処理を実行させるべき精算装置３０を指定する態様としては、精算処理を実行させる精算装置３０を、店員が登録装置２０にて指定する態様がある。すなわち、店員が、精算装置３０を指定する操作を登録装置２０に対して行うことによって、複数の精算装置３０のうちから精算処理を実行させる精算装置３０を指定する。なお、登録装置２０において、各精算装置３０の稼働状況を示した稼働情報を表示するようにし、登録装置２０において、店員が精算装置３０を指定する際に、各精算装置３０の稼働状況を確認できるようにしてもよい。
【００２６】
店員が一の精算装置３０を指定した場合には、ＬＡＮ１１を介して、登録装置２０において生成された登録データが、指定された精算装置３０に送信される。すなわち、登録装置２０は、登録処理に続いて精算装置３０が指定された場合には、指定された精算装置３０に対し、当該登録処理に基づく登録データを送信する。なお、本実施の形態では、登録装置２０は、直接、精算装置３０に登録データを送信するが、ストアコントローラ１０を経由して、精算装置３０に登録データを送信してもよい。
【００２７】
精算装置３０は、店員が登録装置において顧客が買い上げる買上商品を登録し、顧客が精算装置において登録された商品を精算するセミセルフモードと、顧客が精算装置において買上商品を登録して精算するフルセルフモードとの２つの動作モードを有する。精算装置３０は、セミセルフモード時には、顧客の操作に応じて、登録装置において登録された商品の精算処理を実行する。すなわち、精算装置３０は、登録装置２０から受信した登録データに基づいて、精算処理を実行する。また、精算装置３０は、セミセルフモード時に精算処理を終了した場合には、登録装置２０に精算処理の終了を通知する。一方、精算装置３０は、フルセルフモード時には、顧客の操作に応じて、購入対象の商品を登録する登録処理を実行し、その後、登録された商品の精算処理を実行する。
【００２８】
次に、図２〜図５を参照して、登録装置２０及び精算装置３０の構成例について説明する。図２は、登録装置２０の構成例を示すブロック図である。図３は、精算装置３０の構成例を示すブロック図である。図４は、登録装置２０と精算装置３０との外観例を示す斜視図である。図５は、精算装置３０の外観例を示す斜視図である。
【００２９】
登録装置２０は、図２に示すように、ＣＰＵ（Ｃｅｎｔｒａｌ  Ｐｒｏｃｅｓｓｉｎｇ
Ｕｎｉｔ）２０１と、ＲＯＭ（Ｒｅａｄ  Ｏｎｌｙ  Ｍｅｍｏｒｙ）２０２と、ＲＡＭ（Ｒａｎｄｏｍ  Ａｃｃｅｓｓ  Ｍｅｍｏｒｙ）２０３と、スキャナ部２０４と、表示部（店員用）２０５と、表示部（客用）２０５ａと、操作部２０６と、通信部２０７と、ブザー２０８と、印刷部２０９とを備える。これらは、バスを介して相互に通信可能である。
【００３０】
ＣＰＵ２０１は、中央演算処理装置であり、ＲＯＭ２０２に記憶されているプログラムを読み出して実行することにより、登録装置２０の動作を制御する。
ＲＯＭ２０２は、読み出し専用メモリであり、プログラムをはじめとしてＣＰＵ２０１が利用する各種の情報を記憶する。
【００３１】
ＲＡＭ２０３は、随時読み出し書き込みメモリであり、種々の情報を記憶する。例えば、ＲＡＭ２０３は、ストアコントローラ１０から取得した商品マスタや、登録処理後に生成された登録データや、精算処理を実行させる精算装置３０に関する情報を記憶する。また、ＲＡＭ２０３は、精算装置３０から受信した稼働情報などを記憶してもよい。
スキャナ部２０４は、商品に付されているバーコード（商品コード）を光学的に読み取る。
【００３２】
表示部（店員用）２０５は、タッチパネル（例えば、液晶タッチパネル）であり、店員用の種々の情報を表示する。例えば、表示部（店員用）２０５は、商品情報（商品コード等）に関連付けられているプリセットボタンを配置した商品登録画面などを表示する。
【００３３】
表示部（客用）２０５ａは、顧客用の種々の情報を表示する。例えば、表示部（客用）２０５ａは、登録した商品の価格等を表示する。表示部（客用）２０５ａは、タッチパネル（例えば、液晶タッチパネル）であってもよい。
【００３４】
操作部２０６は、登録装置２０を動作させるための各種の操作ボタン（小計キー、現計キー、置数キー、訂正キー、及びプリセットキー等）を備える。例えば、操作部２０６は、操作ボタン（プリセットキー）が操作されることにより、そのプリセットキーに予め設定登録されている商品情報（商品コード等）について、操作入力を受け付ける。
【００３５】
通信部２０７は、ＬＡＮ１１を介して、他の装置と通信する。
ブザー２０８は、店員が操作を確認することが必要な場合などに、ブザー音を発生させる。
印刷部２０９は、必要に応じて媒体を印刷して発行する。例えば、印刷部２０９は、店員が指定した精算装置３０を案内する情報を印刷してもよい。
【００３６】
図４においては、スキャナ部２０４、表示部（店員用）２０５、操作部２０６、印刷部２０９の外観構成を示している。
【００３７】
精算装置３０は、図３に示すように、ＣＰＵ３０１と、ＲＯＭ３０２と、ＲＡＭ３０３と、スキャナ部３０４と、表示部３０５と、操作部３０６と、通信部３０７と、ブザー３０８と、印刷部３０９と、決済部３１０と、サインポール３１１と、人感知センサ３１２と、秤接続部３１３とを備える。これらは、バスを介して相互に通信可能である。
【００３８】
ＣＰＵ３０１は、中央演算処理装置であり、ＲＯＭ３０２に記憶されているプログラムを読み出して実行することにより、精算装置３０の動作を制御する。
ＲＯＭ３０２は、読み出し専用メモリであって、プログラムをはじめとしてＣＰＵ３０１が利用する各種の情報を記憶する。
【００３９】
ＲＡＭ３０３は、随時読み出し書き込みメモリであって、種々の情報を記憶する。例えば、ＲＡＭ３０３は、ストアコントローラ１０から取得した商品マスタや、登録装置２０から取得した登録データを記憶する。
スキャナ部３０４は、例えば、商品に付されているバーコード（商品コード）や、会員カード等に付されているバーコード（会員コード）を光学的に読み取る。
【００４０】
表示部３０５は、タッチパネル（例えば、液晶タッチパネル）であり、種々の情報を表示する。例えば、表示部３０５は、合計金額などが表示される精算画面を表示する。
【００４１】
操作部３０６は、精算装置３０を動作させるための各種の操作ボタン（訂正キー及びプリセットキー等）を備える。例えば、操作部３０６は、操作ボタン（訂正キー）が操作されることにより、操作入力の訂正を受け付ける。
【００４２】
通信部３０７は、ＬＡＮ１１を介して、他の装置と通信する。
ブザー３０８は、エラー等が発生した場合、エラーを報知するブザー音を発生させる。
印刷部３０９は、媒体を印刷して発行する。例えば、印刷部３０９は、精算処理（すなわち商品の買上金額の決済）が終了した場合、精算結果を示し顧客が持ち帰るべきレシートを印刷して発行する。
【００４３】
決済部３１０は、釣銭釣札機、クレジットカードリーダ、電子マネーリーダ等と、それらの制御部とを備えて構成されていて、決済部３１０を用いて、現金、クレジット、電子マネー等により決済処理が行われる。決済部３１０は、釣銭釣札機によって、現金により決済を実行し、決済を実行した結果（例えば、決済が成立したか否かを示す情報）を、バスを介してＣＰＵ３０１に出力する。釣銭釣札機は、紙幣の投入及び排出をする紙幣投入口、硬貨を投入するための硬貨投入口、釣銭を排出する釣銭排出口を備えている。なお、以降の説明にあたり、紙幣投入口と硬貨投入口とについて一括して貨幣投入口と呼ぶ場合がある。
また、決済部３１０は、クレジットにより決済を実行し、決済を実行した結果を、ポート及びバスを介してＣＰＵ３０１に出力する。また、決済部３１０は、電子マネーにより決済を実行し、決済を実行した結果を、バスを介してＣＰＵ３０１に出力する。
【００４４】
サインポール３１１は、複数色の表示灯を有し、それらの表示灯を点灯や点滅させることで、精算装置３０が店員により指定された装置であることを示す情報を報知したり、操作可能である旨を報知したりする。
人感知センサ３１２は、精算装置３０の正面の所定圏内に人物（顧客）がいることを検知するセンサである。
【００４５】
秤接続部３１３は、秤５０と接続して通信する。秤５０は、フルセルフモード時に、顧客が購入する商品を登録する際に不正を防ぐために使用される、商品の重さを計量するための秤である。
【００４６】
図５においては、スキャナ部３０４、表示部３０５、決済部３１０、及びサインポール３１１などの外観構成を示している。
【００４７】
図６及び図７は、精算装置３０に表示される画面の一例である。精算装置３０は、セミセルフモード時には、登録装置２０において登録された商品の精算処理を実行する。すなわち、精算装置３０がセミセルフモードのときは、店員が登録装置２０において商品を登録し、顧客が精算装置３０を操作して登録装置２０において登録された商品の精算をする。また、精算装置３０は、フルセルフモード時には、商品の登録処理及び登録された商品の精算処理を実行する。すなわち、精算装置３０がフルセルフモードのときは、顧客が精算装置３０を操作して商品の登録及び登録された商品の精算をする。
【００４８】
精算装置３０は、通常時には、セミセルフモードで動作する。そして、精算装置３０のＣＰＵ３０１（モード変更手段）は、動作モードをセミセルフモードとフルセルフモードとのいずれかに切り替え可能である。例えば、ＣＰＵ３０１は、所定の条件が満たされた場合に、動作モードをセミセルフモードからフルセルフモードに切り替える。所定の条件は、例えば、スキャナ部３０４が商品に付されたコード情報を読み取ったことである。この場合には、ＣＰＵ３０１は、スキャナ部３０４が商品に付されたコード情報を読み取った場合に、動作モードをフルセルフモードに切り替える。そして、ＣＰＵ３０１は、精算処理が完了すると、動作モードをセミセルフモードに切り替える。或いは、ＣＰＵ３０１は、登録装置２０から登録データを受信した場合に、動作モードをセミセルフモードに切り替えてもよい。或いは、ＣＰＵ３０１は、所定の操作が行われた場合に、動作モードをセミセルフモードに切り替えてもよい。
【００４９】
また、所定の条件の他の例は、所定の時間帯になったことである。この場合には、ＣＰＵ３０１は、所定の時間帯（時刻）になった場合に、動作モードをフルセルフモードに切り替え、当該時間帯を過ぎると、動作モードをセミセルフモードに切り替える。また、所定の条件の他の例は、精算装置３０に対応する設定がされた登録装置２０が非稼働であることである。この場合には、ＣＰＵ３０１は、対応する登録装置２０が非稼働である場合に、動作モードをフルセルフモードに切り替え、当該登録装置が稼働すると動作モードをセミセルフモードに切り替える。精算装置３０には、対応する登録装置２０が予め設定されており、精算装置３０は、対応する登録装置２０から登録データを受信する。なお、ＣＰＵ３０１は、対応する登録装置２０またはストアコントローラ１０から当該登録装置２０の稼働状態を取得する。或いは、ＣＰＵ３０１は、登録データを所定時間以上受信していない場合に、対応する登録装置２０が非稼働であると判定し、登録データを受信した場合に、対応する登録装置２０が稼働していると判定してもよい。
【００５０】
精算装置３０は、セミセルフモード時には、まず、図６に示すような精算画面６００を表示部３０５に表示する。本図に示す精算画面６００には、登録装置２０において登録された商品の買上点数「２点」６０１と、その合計金額「￥２７６」６０２と、支払い方法の選択を促すメッセージ「現金、クレジットがご使用になれます。右側のボタンを押して、お支払い方法をお選びください」６０３と、現金での支払いを選択する現金ボタン６０４と、クレジットでの支払いを選択するクレジットボタン６０５とが表示されている。顧客は、現金ボタン６０４またはクレジットボタン６０５を押下して支払い方法を選択し、商品を精算する。
【００５１】
また、精算装置３０は、フルセルフモード時には、まず、図７に示すような登録開始画面７００を表示部３０５に表示する。登録開始画面７００には、商品の登録を促すメッセージ「ボタンを選択し、登録をスタートしてください」７０１と、レジ袋を用いて登録するレジ袋スタートボタン７０２と、マイバッグを用いて登録するマイバッグスタートボタン７０３とが表示されている。顧客は、レジ袋スタートボタン７０２またはマイバッグスタートボタン７０３を押下し、その後、商品を登録する。精算装置３０は、商品の登録が完了すると、精算画面６００を表示部３０５に表示して精算処理を実行する。
【００５２】
また、精算装置３０は、現在の動作モードがセミフルモードであるかフルセルフモードであるかを表示部３０５に表示してもよい。これにより、精算装置３０がいずれの動作モードで動作しているかを知ることができる。
【００５３】
また、精算装置３０は、動作モードに応じてサインポール３１１を異なる色で点灯させてもよい。例えば、精算装置３０は、セミセルフモード時にはサインポール３１１を緑色で点灯させ、フルセルフモード時にはサインポール３１１を赤色で点灯させる。これにより、サインポール３１１の色により、精算装置３０の動作モードを確認することができる。よって、精算装置３０の表示部３０５を確認する手間が省け、また、遠目からでも精算装置３０の動作モードを知ることができる。
【００５４】
続いて、図８及び図９のフローチャートを参照して、本実施形態の精算装置３０の処理遷移例について説明する。初期状態として、精算装置３０は待機状態である。待機状態は、顧客の操作が開始されるのを待機している状態である。待機状態において、精算装置３０の表示部３０５には、待機画面が表示されている。ここで、顧客が操作を開始したことに応じて、精算装置３０は図８に示す処理を実行する。
【００５５】
（ステップＳ１０１）ＣＰＵ３０１は、動作モードがセミセルフモードであるか否かを判定する。セミセルフモードであるとＣＰＵ３０１が判定した場合には、ステップＳ１０２の処理に進む。また、フルセルフモードであるとＣＰＵ３０１が判定した場合には、ステップＳ１１１の処理に進む。
【００５６】
（ステップＳ１０２）ＣＰＵ３０１は、予め登録装置２０から受信してＲＡＭ３０３に記憶してある登録データを読み出し、読み出した登録データに基づいて精算画面６００を表示部３０５に表示する。その後、ステップＳ１０３の処理に進む。
（ステップＳ１０３）ＣＰＵ３０１は、読み出した登録データに基づいて精算処理を実行する。そして、ＣＰＵ３０１は、通信部３０７を介して、精算処理が終了した旨を示した精算終了情報を登録データの送信元の登録装置２０に送信する。その後、処理を終了する。
【００５７】
（ステップＳ１１１）ＣＰＵ３０１は、登録開始画面７００を表示部３０５に表示し、登録の操作が行われることに応じて、商品を登録する登録処理を実行する。顧客は、買上商品の登録を終了すると小計キーを操作する。ＣＰＵ３０１は、小計キーが入力を受け付けると、登録処理を終了する。その後、ステップＳ１１２の処理に進む。
（ステップＳ１１２）ＣＰＵ３０１は、ステップＳ１１１において登録された商品の精算処理を実行する。その後、処理を終了する。
【００５８】
また、精算装置３０は、セミセルフモード時の待機状態のときに、図９に示す処理を実行する。
（ステップＳ２０１）ＣＰＵ３０１は、上述した所定の条件を満たしたか否かを判定する。所定の条件を満たしたとＣＰＵ３０１が判定した場合には、ステップＳ２０２の処理に進む。また、所定の条件を満たしていないとＣＰＵ３０１が判定した場合には、ステップＳ２０１の処理を再度実行する。
【００５９】
（ステップＳ２０２）ＣＰＵ３０１は、秤５０が秤接続部３１３に接続されているか否かを判定する。秤５０が接続されているとＣＰＵ３０１が判定した場合には、ステップＳ２０４の処理に進む。また、秤５０が接続されていないとＣＰＵ３０１が判定した場合には、ステップＳ２０３の処理に進む。
【００６０】
（ステップＳ２０３）ＣＰＵ３０１は、サインポール３１１を点滅させるとともに、通信部３０７を介して登録装置２０に秤５０が接続されていない旨を通知するアラートを送信して、秤５０が接続されていないことを示すエラーを出力する。登録装置２０は、アラートを受信すると、秤５０が接続されていない旨を表示する。その後、ステップＳ２０１の処理に戻る。
【００６１】
（ステップＳ２０４）ＣＰＵ３０１は、登録装置２０から受信した登録データを全て精算したか否かを判定する。登録データを全て精算したとＣＰＵ３０１が判定した場合には、ステップＳ２０５の処理に進む。また、ＣＰＵ３０１は、精算していない登録データがあるとＣＰＵ３０１が判定した場合には、ステップＳ２０４の処理を再度実行する。
【００６２】
（ステップＳ２０５）ＣＰＵ３０１は、動作モードをフルセルフモードに切り替える。その後、処理を終了する。
【００６３】
なお、精算装置３０は、フルセルフモード時の待機状態のときに、上述した所定の条件を満たさなくなった場合に、動作モードをフルセルフモードからセミセルフモードに切り替えてもよい。
【００６４】
以上説明したように、本実施形態のＰＯＳシステムは、店員によって顧客が買い上げる買上商品の登録をする登録装置２０と精算装置３０とを備えるＰＯＳシステムであって、精算装置３０は、登録装置において登録された商品を顧客が精算するセミセルフモードと、顧客が買上商品を登録して精算するフルセルフモードとの２つの動作モードを有し、動作モードをセミセルフモードとフルセルフモードとのいずれかに切り替え可能なモード変更手段、を備える。
【００６５】
上記構成によれば、精算装置を、顧客が商品の登録及び精算をするフルセルフ精算機として利用することができる。よって、登録装置を操作する店員がいない場合であっても、精算装置を利用することができるため、精算装置を有効活用することができる。
【００６６】
また、本実施形態におけるＰＯＳシステムにおいて、精算装置３０は、コード情報を読み取るスキャナ部３０４をさらに備え、モード変更手段は、スキャナ部３０４が商品に付されたコード情報を読み取った場合に、動作モードをフルセルフモードに切り替える。上記構成によれば、商品に付されたコード情報をスキャナ部３０４で読み取る登録操作を行うことにより精算装置３０をフルセルフモードにすることができるため、簡単に精算装置３０をフルセルフモードに移行させることができる。
【００６７】
また、本実施形態におけるＰＯＳシステムにおいて、モード変更手段は、所定の時刻になった場合に、動作モードをフルセルフモードに切り替える。上記構成によれば、所定の時刻になると自動的に精算装置３０がフルセルフモードになるため、簡単に精算装置３０をフルセルフモードに移行させることができる。
【００６８】
また、本実施形態におけるＰＯＳシステムにおいて、モード変更手段は、精算装置３０に対応する登録装置２０が非稼働である場合に、動作モードをフルセルフモードに切り替える。上記構成によれば、登録装置２０が非稼働になると、精算装置３０がフルセルフモードになるため、登録装置２０を操作する店員がいない（登録装置２０が無人である）場合に精算装置３０を利用することができ、精算装置３０を有効活用することができる。
【００６９】
以上、この発明の実施形態について図面を参照して詳述してきたが、具体的な構成はこの実施形態に限られるものではなく、この発明の要旨を逸脱しない範囲の設計等も含まれる。
【００７０】
例えば、上述した実施形態では、精算装置３０は、所定の条件を満たした場合に、動作モードをセミセルフモードにしているが、動作モードの切り替え方法はこれに限られない。例えば、精算装置３０は、スキャナ部３０４が店員の所有する店員カードに付されたバーコード（店員コード）を読み取った場合に、動作モードを切り替えてもよい。或いは、精算装置３０は、登録装置２０またはストアコントローラ１０からの指示で動作モードを切り替えてもよい。
【００７１】
例えば、登録装置２０からの指示で動作モードを切り替える場合、登録装置２０の登録画面上に、精算装置３０の動作モードを切り替える指示を受け付ける動作モード切り替えボタンを表示するようにしてもよい。
【００７２】
図１０は、動作モード切り替えボタンを表示した場合の登録画面の一例を示した図である。登録装置２０は、図１０に示すような登録画面を表示部（店員用）２０５に表示する。
図１０に示した登録画面には、商品情報（商品コード等）に関連付けられているプリセットボタン（「いちご」「りんご」等と表示したボタン）の他に、精算処理を実行させる精算装置３０（つまり登録データを送信する精算装置３０）を指定するための精算機指定ボタン５０１（「精算機１」「精算機２」「精算機３」と表示したボタン）や、お会計券を印刷するためのお会計券ボタン５０３や、未精算一覧画面を表示するための未精算一覧ボタン５０２や、精算装置３０の動作モードを切り替えるための動作モード切り替えボタン５０４などが配置されている。
【００７３】
なお、上述した例では、ＰＯＳシステム１において、精算装置３０は３台であるため、精算機指定ボタン５０１として、３台の夫々に対応する、精算機１、精算機２、精算機３の３つのボタンを配置している。
【００７４】
また、図示する例では、各精算機指定ボタン５０１において、夫々に対応する精算機に関するステータス（状態や動作モード等）を表示している。具体的には、各ボタンに、夫々に対応する精算機に関するステータスをバッジで表示している。例えば、図示する場合、精算機１のボタンには「フルセルフ」がバッジで表示され、精算機２のボタンには「オフライン」がバッジで表示され、精算機３のボタンには「セミセルフ」がバッジで表示されている。「オフライン」とは、当該ボタンに対応する精算装置３０がオフライン状態であるか、当該ボタンに対応する精算装置３０の電源が投入されていない状態であることを示している。
【００７５】
なお、バッジの表示位置は、図１０に示した表示位置（バッジの一部がボタンの表示領域外（上側）に表示されるような表示位置）に限るものではなく、バッジの全部がボタンの表示領域内に収まるような表示位置であってもよい。またステータスの表示は、バッジによるものに限るものではなく、ボタン内にステータスを示した文言（テキスト）を表示するテキスト表示領域を設け、当該表示領域にステータスを表示するようにしてもよい。また、ボタンの色をステータスに応じて変化させるようにしてもよい。
【００７６】
また、動作モード切り替えボタン５０４を操作することで、登録装置２０から精算装置３０の動作モードを切り替えることができる。操作方法としては、動作モード切り替えボタン５０４を押下して選択状態にした後に、動作モードを切り替える精算装置３０の精算機指定ボタン５０１を押下することで、押下した精算機指定ボタン５０１に対応する精算装置３０の動作モードを切り替えることができる。
【００７７】
例えば、動作モード切り替えボタン５０４を押下して選択状態にした後に、精算機１の精算機指定ボタン５０１を押下すると、登録装置２０は、精算機１に対応する精算装置３０に対して、動作モード切り替え指示メッセージを送信する。精算機２や精算機３に対応する精算装置３０の動作モードを切り替える場合も同様である。このように、登録装置２０は、各精算装置３０の動作モードを切り替える操作を受け付けた場合、受け付けた操作に基づいて各精算装置３０に対して動作モード切り替え指示メッセージを送信する。
【００７８】
また、動作モード切り替え指示メッセージを受信した精算装置３０は、動作モードを切り替える。例えば、精算装置３０は、動作モード「フルセルフ」で動作しているときに動作モード切り替え指示メッセージを受信した場合、動作モードを「セミセルフ」に切り替える。また、例えば、精算装置３０は、動作モード「セミセルフ」で動作しているときに動作モード切り替え指示メッセージを受信した場合、動作モードを「フルセルフ」に切り替える。これにより、登録装置２０は、各精算装置３０の動作モードを切り替える操作を受け付け、受け付けた操作に基づいて各精算装置３０の動作モードを切り替えることができる。
【００７９】
なお、登録装置２０から精算装置３０の動作モードを切り替える方法と同様に、ストアコントローラ１０から精算装置３０の動作モードを切り替えることができるようにしてもよい。
【００８０】
また、例えば、精算装置３０は、単位時間当たりに精算した人数に応じて、動作モードを切り替えてもよい。例えば、精算装置３０は、人数が所定の閾値以上である場合にはセミセルフモードで動作し、人数が所定の閾値より小さい場合にはフルセルフモードで動作する。また、精算装置３０は、前日や先週の同じ曜日の各時間帯における精算した人数に応じて、動作モードを切り替えてもよい。例えば、精算装置３０は、人数が所定の閾値以上である時間帯にはセミセルフモードで動作し、人数が所定の閾値より小さい時間帯にはフルセルフモードで動作する。
【００８１】
また、例えば、精算装置３０は、店員のシフト情報に基づいて動作モードを切り替えてもよい。例えば、精算装置３０は、シフトの入っている店員が所定の閾値以上である時間帯にはセミセルフモードで動作し、シフトの入っている店員が所定の閾値より少ない時間帯にはフルセルフモードで動作する。
【００８２】
また、例えば、精算装置３０は、秤５０が接続されたか否かにより動作モードを切り替えてもよい。例えば、精算装置３０は、秤５０が接続されていない場合にはセミセルフモードで動作し、秤５０が接続されている場合にはフルセルフモードで動作する。
【００８３】
また、例えば、精算装置３０は、スキャナ部３０４のＯＮ／ＯＦＦにより動作モードを切り替えてもよい。例えば、精算装置３０は、スキャナ部３０４がＯＮの場合にはフルセルフモードで動作し、スキャナ部３０４がＯＦＦの場合にはセミセルフモードで動作する。
【００８４】
また、例えば、精算装置３０は、セミセルフモードからログアウトした時間から一定時間経過すると動作モードをフルセルフモードにしてもよい。同様に、精算装置３０は、フルセルフモードからログアウトした時間から一定時間経過すると動作モードをセミセルフモードにしてもよい。
【００８５】
また、精算装置３０は、フルセルフモード時には商品を計量させる計量モードで秤５０を動作させ、セミセルフモード時には秤５０を非計量モード（商品を計量しない）にしてもよい。
【００８６】
また、上述した実施形態では、セミセルフモード時に、精算処理を実行させるべき精算装置３０を指定する態様として、精算処理を実行させる精算装置３０を、店員が登録装置２０にて指定する態様について説明したが、これに限らず、例えば、顧客に手渡しされる精算処理用の媒体（お会計券（登録商標））を、店員が登録装置２０にて発行し、店員から手渡しされたお会計券を、顧客が１つの精算装置３０に読み取らせる態様であってもよい。すなわち、顧客が、店員から手渡しされたお会計券を精算装置３０に読み取らせることによって、複数の精算装置３０のうちから精算処理を実行させる精算装置３０を指定する。
【００８７】
お会計券には、登録データ識別情報及び登録装置識別情報が、１次元コードまたは２次元コードのいずれかの形式で印刷されている。精算装置３０においてお会計券が読み取られた場合には、ＬＡＮ１１を介して、登録装置２０において生成された登録データ（当該お会計券に対応する登録データ）が、当該お会計券を読み取った精算装置３０に送信される。
【００８８】
すなわち、精算装置３０は、お会計券を読み取った場合には、当該お会計券に対応する登録データ（お会計券から得られる登録データ識別情報によって識別される登録データ）を、当該お会計券に対応する登録装置２０（お会計券から得られる登録装置識別情報によって識別される登録装置２０）に要求し（要求情報を送信）、登録データを要求された登録装置２０は、要求された登録データを、要求元の精算装置３０に送信する。なお、精算装置３０は、ストアコントローラ１０を経由して、登録装置２０に登録データを要求してもよい。また、登録装置２０は、ストアコントローラ１０を経由して、精算装置３０に登録データを送信してもよい。なお、登録装置２０は、登録データ識別情報及び登録装置識別情報が、１次元コードまたは２次元コードで印刷されたお会計券に代えて、登録データが２次元コードで印刷されたお会計券を発行してもよい。精算装置３０は、登録データが２次元コードで印刷されたお会計券を読み取った場合には、当該お会計券から、直接、登録データを取得する。
【００８９】
また、例えば、精算装置３０は、フルセルフモードで動作している場合であっても、お会計券を読み取った場合、セミセルフモードで動作するようにしてもよい。
【００９０】
また、例えば、精算装置３０は、動作モードを切り替えた後に呼戻しや保留を行い、切り替える前の動作モードで処理を行った精算処理に戻る場合、一時的に切り替える前の動作モードに戻すようにしてもよい。また、例えば、精算装置３０は、動作モードを切り替えた後に呼戻しや保留を行い、切り替える前の動作モードで処理を行った精算処理に戻る場合、一時的に切り替える前の動作モードに戻すか否かのポップアップ画面を表示させるようにしてもよい。
【００９１】
次に、セミセルフモードで動作しているときの精算装置３０の精算画面について説明する。図１１は、セミセルフモードで動作しているときの精算装置が表示する、支払い方法を選択させる画面の例を示した図である。精算装置３０は、登録データを読み出した場合、図１１に示すように、支払い方法を選択させる画面を表示する。図示する例では、支払い方法を選択させるための画面には、買上金額、操作キー「現金」、「クレジット」、及び「電子マネーＡ」〜「電子マネーＤ」等が表示されている。
【００９２】
図１１に示した支払い方法を選択させるための画面において、支払い方法として「現金」が選択された場合、精算装置３０は、預り金額等を表示する画面を表示する。図１２は、セミセルフモードで動作しているときの精算装置が表示する、預かり金額等を表示する画面を示した図である。図示する例では、硬貨投入口３１２の位置を示すガイダンス「硬貨」、及び紙幣投入口３１３の位置を示すガイダンス「紙幣」が点滅する画像と、模擬紙幣が紙幣投入口３１３に投入される画像と。お買上金額と、お預り金額とが表示されている。これにより、顧客は、紙幣投入口３１３の位置を容易に把握することができる。また、顧客は、お買い上げ金額と、お預り金額とを把握することができる。
【００９３】
図１２に示した画面を表示しているときに、顧客により現金が投入されると、精算装置３０は精算処理を行い、精算処理が完了したときには処理を終了する。なお、図１１に示した支払い方法を選択させるための画面において、支払い方法として「現金」以外が選択された場合においても、精算装置３０は、支払い方法として「現金」が選択された場合と同様に、精算処理を行う。なお、セミセルフモードで動作しているときの精算装置３０が表示する画面は、図１１や図１２に示した例に限らず、どのような画面であってもよい。
【００９４】
また、精算装置３０は、サインポール３１１の態様を動作モードによって異ならせることで、動作モードを報知するようにしてもよい。例えば、精算装置３０は、セミセルフモードで動作しているときはサインポール３１１を青色で点灯させ、フルセルフモードで動作しているときはサインポール３１１を緑色で点灯させるようにしてもよい。また、例えば、精算装置３０は、セミセルフモードで動作しているときはサインポール３１１を青色で連続点灯させ、フルセルフモードで動作しているときはサインポール３１１を青色で点滅点灯させるようにしてもよい。なお、動作モードに応じたサインポール３１１の態様は上記に限らず、精算装置３０の動作モードを判別することができる態様であればどのような態様であってもよい。
【００９５】
また、精算装置３０の前面側と背面側に表示部３０５をそれぞれ設け、顧客側に現金決済可能な決済部３１０を向けた対面型の精算装置３０としてもよい。なお、スキャナ部３０４は、前面側と背面側にそれぞれ設けてもよく、１つのスキャナ部３０４を共通で使用してもよい。例えば、スキャナ部３０４を回転させることができる構成とし、回転させることによりスキャナ部３０４を前面側と背面側に任意に移動させることができるようにしてもよい。また、例えば、精算装置３０の本体とスキャナ部３０４とを接続するケーブルを長くすることで、前面側と背面側の両方で使用できるようにしてもよい。
【００９６】
図１３は、本実施形態において前面側と背面側に表示部３０５および操作部３０６をそれぞれ設けた精算装置３０の外観例を示した図である。図示する例では、前面側を客側とし、背面側を店員側として精算装置３０を使用している。
【００９７】
図１３（Ａ）は、セミセルフモードとして動作しているときの例を示している。店員が、背面側に設けられた表示部３０５および操作部３０６や、スキャナ部３０４を用いて買上商品の登録を行った後、客が決済部３１０を操作して精算処理を行っている。
【００９８】
図１３（Ｂ）は、フルセルフモードとして動作しているときの例を示している。図示する例では、客が、前面側に設けられた表示部３０５および操作部３０６や、スキャナ部３０４を用いて買上商品の登録を行って決済部３１０を操作して精算処理を行っている。
【００９９】
このように、精算装置３０の前面側と背面側に表示部３０５および操作部３０６をそれぞれ設けることにより、店員が買上商品の登録を行って客が精算処理を行うセミセルフモードと、客が買上商品の登録を行って精算処理を行うフルセルフモードとして精算装置３０を動作させることができる。
【０１００】
なお、操作部３０６に切り替えキーを設け、切り替えキーを押下することでセミセルフモードとフルセルフモードの動作を切り替えることができるようにしてもよい。また、精算装置３０は、フルセルフモードで動作しているときは、背面側（店員側）の表示部３０５には、フルセルフモードで動作している旨を示す表示を行うようにしてもよい。
【０１０１】
なお、精算装置３０の動作モードとして、セミセルフモードとフルセルフモードとを切り替える方法は、切り替えキーの押下に限らず、どのような方法を用いてもよい。例えば、スキャナ部３０４を回転させることができる構成とし、回転させることによりスキャナ部３０４を前面側（客側）に移動させた場合には、精算装置３０はフルセルフモードとして動作し、回転させることによりスキャナ部３０４を背面側（店員側）に移動させた場合には、精算装置３０はセミセルフモードとして動作するようにしてもよい。また、精算装置３０に決済端末（電子マネー、クレジット端末）を設けて回転させることができる構成とし、回転させることにより決済端末を前面側（客側）に移動させた場合には、精算装置３０はフルセルフモードとして動作し、回転させることにより決済端末を背面側（店員側）に移動させた場合には、精算装置３０はセミセルフモードとして動作するようにしてもよい。
【０１０２】
また、例えば、精算装置３０の前面側と背面側にスキャナ部３０４をそれぞれ設け、前面側（客側）のスキャナ部３０４が使用された場合には、精算装置３０はフルセルフモードとして動作し、背面側（店員側）のスキャナ部３０４が使用された場合には、精算装置３０はセミセルフモードとして動作するようにしてもよい。
【０１０３】
また、例えばコンビニエンスストアで買上商品の登録を行う場合、最初にスキャナ部３０４で店員バーコードを読み取ってから買上商品の登録を行うことが多い。よって、スキャナ部３０４で店員バーコードを読み取ることで、フルセルフモードから、セミセルフモードに切り替えるようにしてもよい。また、精算装置３０は、精算処理が完了したとき（例えば、精算処理が完了した直後、または精算処理が完了してから所定時間経過後）に、セミセルフモードからフルセルフモードに切り替えるようにしてもよい。このように、自動的にフルセルフモードに切り替えることで、効率よく精算できるようになる。
【０１０４】
また、精算装置３０が登録処理や精算処理を行っているときにはセミセルフモードとフルセルフモードとを切り替えることが出来ないようにし、待機中のときだけセミセルフモードとフルセルフモードとを切り替えることができるようにしてもよい。
【０１０５】
また、精算装置３０にログインしている店員数が所定人数以下（以上）になると自動的にモードが変更になるようにしてもよい。具体的には、精算装置３０の台数よりも店員数が少ないとき（例えば、精算装置３０が２台で店員数が１人の場合や、精算装置３０が３台で店員数が１人もしくは２人の場合）は、確実に１台以上の精算装置３０には店員がつかなくなるため、空いてしまう精算装置３０をフルセルフモードに切り替えるようにしてもよい。また、精算装置３０の台数と店員数が同じ、もしくは店員数が多いとき（例えば、精算装置３０が２台で店員が２人以上場合や、精算装置３０が３台で店員が３人以上の場合）は、確実に精算装置３０に店員がつくことができるため、精算装置３０をセミセルフモードに切り替えるようにしてもよい。
【０１０６】
また、セミセルフモードとフルセルフモードとを切り替える方法として、音声で「モード切り替え」などと入力すると切り替わるようにしてもよい。例えば、精算装置３０に音声入力装置を設けてもよく、外部端末（例えば、上位サーバ、店員が持つ携帯端末など）で音声を入力するようにしてもよい。
【０１０７】
また、背面側（店員側）の表示部３０５あるいは操作部３０６に切り替えキーを設けた場合において、切り替えキーの操作によってセミセルフモードからフルセルフへモードに切り替わった後に、再びセミセルフモードへ切り替える際には、フルセルフモードでの精算処理が完了していない場合、切り替えキーの実行を禁止するようにしてもよい。
【０１０８】
また、背面側（店員側）と前面側（客側）との両方に表示部３０５を設けた場合において、フルセルフモードに切り替えた場合、買上商品の登録が完了した後、所定時間経過後に精算処理が完了しない場合に、背面側（店員側）の表示部３０５にエラーを表示するようにしてもよい。
【０１０９】
また、精算装置３０がセミセルフモードとして動作している場合、店員側で公共料金の支払い処理を行うときに、客側で別の商品を登録できるようにしてもよい。なお公共料金の支払い処理に限らず、店員側で予約販売、チケット発行、切手販売、タバコなど、通常商品とは異なり、決済方法が制限されている（現金のみ販売可）ために別会計になる可能性のあるものについて支払い処理を行っている場合においても、客側で別の商品を登録できるようにしてもよい。これにより、買上商品の登録処理に要する時間を大幅に短縮することができる。このとき、店員側で登録した商品と、顧客側で登録した商品とを区別して表示するようにしてもよい。これにより、客が誤登録や不正登録していたとしても気づきやすくできる。
【０１１０】
なお、公共料金等のように決済方法に制限がなくても、惣菜や中華まん、ドーナツ、コーヒーなど店員だけが取り出し可能な商品の場合においても、店員側でこれらの登録処理を行っているときに、客側で別の商品を登録できるようにしてもよい。この場合においても、買上商品の登録をオーバーラップでき、買上商品の登録処理に要する時間を大幅に短縮することができる。
【０１１１】
また、スキャナ部３０４を店員側と客側に備え、店員側と客側の両方で買上商品の登録を行うことができるようにしてもよい。この場合においても、買上商品の登録をオーバーラップでき、買上商品の登録処理に要する時間を大幅に短縮することができる。
【０１１２】
また、精算装置３０がフルセルフモードで動作しているときに、タバコ、中華まん、ドーナツ、コーヒーなど、店員が取り出すしかない商品について、客が表示部３０５を操作して登録する、媒体上のバーコードをスキャナ部３０４で読み取ることで登録する、無線タグなどで登録した場合、店員がいるセミセルフモードの精算装置３０に、どの精算装置３０であるかを示す情報（例えば精算装置３０の番号など）を併せて報知するようにしてもよい。なお、店員が取り出す必要がある商品かという情報と、どの精算装置３０であるかを示す情報を併せて報知する際には、登録された商品名を併せて報知するようにしてもよい。報知の方法は、例えば、ポップアップ表示、音声、振動、レシート出力などで報知するようにしてもよい。そして、店員はその報知をもとにセミセルフモードでの客の対応などが終わった後に、報知された商品を持ってフルセルフモードで動作している精算装置３０に向かうようにしてもよい。これにより、フルセルフモードで動作している精算装置３０に向かう前に商品を取ることができるため、二度手間を省くことができる。
【０１１３】
また、精算装置３０がフルセルフモードで動作しているときに、タバコ、中華まんなど、店員が取り出すしかない商品について、客が表示部３０５を操作して登録する、媒体上のバーコードをスキャナ部３０４で読み取ることで登録する、無線タグなどで登録した場合、店員がいるセミセルフモードの精算装置３０にその旨を報知するようにしてもよい。このときに、当該商品が置かれた棚などの収納場所について報知するようにしてもよい。報知の方法は、例えば、収納場所のランプ等が点灯、点滅、「音声で○○が選択されました」と出力するようにしてもよい。これにより、より簡単に店員が商品を選択することができる。なお、セミセルフモードで動作しているときにおいても、当該商品が置かれた棚などの収納場所について報知するようにしてもよい。
【０１１４】
また、精算装置３０の前面と背面とに決済部３１０を設け、セミセルフモードとフルセルフモードの他に、店員が買上商品の登録と精算処理とを行う通常モードで精算装置３０が動作するようにしてもよい。精算装置３０は、通常モードで動作するときにおいても、セミセルフモードで動作するときと同様に、上述した処理を行うことができるようにしてもよい。
【０１１５】
また、１日のレジの集計（締め処理）を行うとき、セミセルフモードで動作する対面型の精算装置３０を備えるＰＯＳシステムでは、なるべく客側で多くの操作を行うようにして、客に迷惑にならないようにしたい、または客に、金種枚数情報などの店員が操作する画面をなるべく見せたくない、ということが想定される。一方で、決済部３１０（釣銭釣札機）側で操作する際必ず表示させておきたい項目（例えば、金種枚数の表示やその確認ボタン、最後の締め処理開始ボタンなど）もある。そこで、ある一連の処理の中でも一定のところまでは背面側（店員側）の表示部３０５に表示させ、それ以降のものは前面側（客側）に表示させる処理を行うことで、なるべく必要な処理を背面側（店員側）で行い、必要最小限の処理を前面側（客側）で行うことが可能となる。なお、前面側（客側）の表示部３０５に表示されている場合、背面側（店員側）の表示部３０５に同じ画面をミラーリングして表示していてもよい。
【０１１６】
同様の例として、決済部３１０（釣銭釣札機）のエラー処理やレシート用紙切れなどのエラー報知に対する顧客にあまり見せたくないエラー処理のガイダンス（例えば、○○へ連絡してくださいといった情報表示、紙幣や硬貨のつまり、特定金種が不足しているなどの情報）を背面側（店員側）の表示部３０５に表示させ、背面側（店員側）で必要な処理を行うまで、前面側（客側）の表示部３０５には単にエラー処理対応中です、などと表示されるようにしてもよい。さらに、不足紙幣・硬貨棒金の補充、過剰紙幣の取り出しの場合にも、エラー処理のガイダンスを背面側（店員側）の表示部３０５に表示させ、背面側（店員側）で必要な処理を行うまで、前面側（客側）の表示部３０５には単にエラー処理対応中です、などと表示されるようにしてもよい。
【０１１７】
また、特に深夜のコンビニでは、店員の人数が少ないことが多いうえに、品出しや陳列などレジ業務以外の業務を多く行っており、客が精算を欲していても気づかないこともある。そこで、客が精算装置３０を操作してフルセルフモードで買上商品の登録を開始すると、フルセルフモードで買上商品の登録中である旨を報知する（例えば、ランプがつく、所定の音声が鳴る、店員のもつ携帯端末などに何番レジで客がフルセルフ精算中かを表示する）ようにしてもよい。そして、報知に気づいた店員はレジに向かい、客が登録途中であってもフルセルフモードからセミセルフモードに切り替え、未登録の買上商品の登録を引き続いて行うようにし、客には現金投入などを先に行っていただくようにしてもよい。これにより、精算業務が効率化し、また、客の満足度を高めることができる。
【０１１８】
なお、上述の登録装置２０及び精算装置３０などとしての機能を実現するためのプログラムをコンピュータ読み取り可能な記録媒体に記録して、この記録媒体に記録されたプログラムをコンピュータシステムに読み込ませ、実行することにより上述の登録装置２０及び精算装置３０などとしての処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。
【０１１９】
また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。なお、プログラムを複数に分割し、それぞれ異なるタイミングでダウンロードした後に端末装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムにすでに記録されているプログラムとの組み合わせで実現できるもの、いわゆる差分ファイル（差分プログラム）であってもよい。
【符号の説明】
【０１２０】
１０  ストアコントローラ、１１  ＬＡＮ、２０  登録装置、３０  精算装置、２０１  ＣＰＵ、２０２  ＲＯＭ、２０３  ＲＡＭ、２０４  スキャナ部、２０５  表示部（店員用）、２０５ａ  表示部（客用）、２０６  操作部、２０７  通信部、２０８  ブザー、２０９  印刷部、３０１  ＣＰＵ、３０２  ＲＯＭ、３０３  ＲＡＭ、３０４  スキャナ部、３０５  表示部、３０６  操作部、３０７  通信部、３０８  ブザー、３０９  印刷部、３１０  決済部、３１１  サインポール、３１２  人感知センサ、３１３  秤接続部
【図１】
2018109932.tif 000003
【図２】
2018109932.tif 000004
【図３】
2018109932.tif 000005
【図４】
2018109932.tif 000006
【図５】
2018109932.tif 000007
【図６】
2018109932.tif 000008
【図７】
2018109932.tif 000009
【図８】
2018109932.tif 000010
【図９】
2018109932.tif 000011
【図１０】
2018109932.tif 000012
【図１１】
2018109932.tif 000013
【図１２】
2018109932.tif 000014
【図１３】
2018109932.tif 000015